Podtech/llm-jp-corpus-v4-ja_patent huggingface dataset:
(57)【要約】【課題】  農作物の成長初期から茎を痛めることなく容易に装着でき、かつ成長を妨げることなく土中から作物の茎を伝って葉を食い荒らすヨトウムシなどの害虫から農作物を守る用具の提供を課題とした。【解決手段】  弾力性のある柔らかい素材で形成し、外側縁より中心に向かい中心を越える長さでありかつ反対側の縁まで達しない長さの切れ目（３）の入った構造とし、地上面近くの作物の茎を切れ目（３）より本発明の中心部に向かって中心付近まで挿入した後、切れ目（３）の始まりを閉じることにより、農作物の成長初期から茎を痛めることなく容易に装着でき、茎の成長を妨げることなくヨトウムシなどの土中からの害虫が作物に被害を及ぼすのを防護した。  また、中心部（１）は弾力性のある柔らかい素材で形成し、辺縁部（２）は折り曲げができて伸縮性が低く硬い素材で形成した構造により、農作物の茎の成長によって生じる弾力性のある柔らかい素材の歪みを軽減できた。【選択図】図１
2008183003.tif 000002
【特許請求の範囲】
【請求項１】
弾力性のある柔らかい素材で形成し、外側縁より中心に向かい中心を越える長さでありかつ反対側の縁まで達しない長さの切れ目（３）の入った害虫防護用具。
【請求項２】
中心部（１）は弾力性のある柔らかい素材で形成し、辺縁部（２）は折り曲げができて伸縮性が低く硬い素材で形成した請求項１の害虫防護用具。
【発明の詳細な説明】
【技術分野】
【０００１】  本発明は、ヨトウムシなどの土中に潜む害虫からキャベツや白菜などの農作物を防護する用具に関するものである。
【背景技術】
【０００２】  ヨトウムシは夜に土中からキャベツや白菜などの農作物の茎を伝って葉を食い荒らす代表的な害虫である。【０００３】  ヨトウムシなどの土中に潜む害虫から農作物を守る手段としては、農薬散布や夜の活動時に取除くことや茎周辺の土中を掘り返して取除くなどがあるが、農薬を使いたくない場合や一匹ずつ探し出す手間などの問題を抱えている。【０００４】  また、特許公開平０８−２３８６４では用具の取り付け穴の内径が樹木の直径より大きくした構造であるため、あらかじめ開けられている穴に農作物の成長初期の茎を隙間無く密着させる構造とはなっていない。また、害虫の移動阻止用具と樹木保護材とは同一構造体ではないので設置には樹木保護材を巻いてから害虫の移動阻止用具を取り付けるため設置が容易ではない。そして、キャベツや白菜などでは、苗から収穫期までに茎が１０倍近くも太くなる農作物においては利用し難い。さらに、樹木取り巻き部材と薬剤収容部部材とカバー部材とによる立体構造においては切れ目を容易に十分開くことは困難である。
【発明の開示】
【発明が解決しようとする課題】
【０００５】  キャベツや白菜などを無農薬または低農薬で栽培する場合、飛んでくる害虫は防虫シートなどによるトンネル敷設で防護できるが、ヨトウムシなど土中から出てくる害虫を農薬を用いずに効果的に防護するのは困難であり被害が少なくない。【０００６】  そこで、本発明は、キャベツや白菜などのように成長初期から収穫期までに茎が１０倍近くも太くなる農作物においても成長初期から容易に装着でき、収穫期まで装着し続ける間の農作物の成長を阻害することなく、ヨトウムシなどの土中からの害虫から農作物の被害を回避できる軽量かつ装着が容易な用具の提供を課題とした。
【課題を解決するための手段】
【０００７】  本発明は、中心部（１）がウレタンフォームなどの弾力性のある柔らかく軽量な素材で、装着する農作物の収穫期の茎の直径よりも十分大きく形成し、辺縁部（２）はポリエチレンや厚紙などの折り曲げができる伸縮性が低く硬い軽量な素材で形成し、外側縁より中心に向かい中心を越える長さでありかつ中心部（１）の反対側の縁まで達しない長さの切れ目（３）の入った構造とした。
【発明の効果】
【０００８】  弾力性のある柔らかい素材で形成し、外側縁より中心に向かい中心を越えない長さの切れ目では、茎の成長により本発明の構造体は切れ目（３）の延長上の延長方向にずれてしまうが、外側縁より中心に向かい中心を越える長さでありかつ反対側の縁まで達しない長さの切れ目（３）を形成することにより、茎の成長によっても本発明の構造体にずれが生じなくなった。【０００９】  また、中心部（１）は弾力性のある柔らかい素材で形成し、辺縁部（２）は折り曲げができて伸縮性が低く硬い素材で形成した構造により、農作物の茎の成長によって生じる弾力性のある柔らかい素材の歪みを軽減できた。【００１０】  ウレタンフォームなどの弾力性のある柔らかく軽量な素材で装着する農作物の収穫期の茎の直径よりも十分大きく形成した中心部（１）により、本発明を装着したキャベツや白菜などの茎の直径は収穫期までに成長を阻害されることなく成長初期の１０倍近くになったが、茎は中心部（１）に隙間無く収まっていた。【００１１】    本発明の構造により、本発明を装着したキャベツや白菜は成長初期から収穫期までにヨトウムシなどの土中から茎（４）を伝わってくる害虫による被害がほとんど無くなった。
【発明を実施するための最良の形態】
【００１２】    図１と図２とで示す形態を最良の形態とする。すなわち、中心部（１）はウレタンフォームなどの弾力性のある柔らかく軽量な素材で、装着する農作物の収穫期の茎の直径よりも十分大きく形成し、辺縁部（２）はポリエチレンや厚紙などの折り曲げができて伸縮性
低く硬い軽量な素材で形成し、外側縁より中心に向かい中心を越える長さでありかつ中心部（１）の切れ目（３）の反対側の縁まで達しない長さの切れ目（３）の入った構造とした。【００１３】  切れ目（３）は、閉じた状態では辺縁部（２）には隙間があるが中心部（１）には隙間はない。【００１４】  本発明を茎（４）に装着するには、切れ目（３）を両手で開きながらキャベツや白菜などの成長初期の茎（４）の地面に近い部分に切れ目（３）を差し入れて、中心部（１）の中央付近に茎（４）が来たところで開いた切れ目（３）を閉じ、辺縁部（２）の切れ目（３）を粘着テープやホチキスなどで固定して切れ目が開かないようにする。【００１５】  図３は、図１と図２に示す最良の形態を茎（４）に装着した例である。
【産業上の利用可能性】
【００１６】  農作物の栽培管理において、土中から出てくる害虫の防護に有用である。
【図面の簡単な説明】
【００１７】
【図１】最良の形態の平面図である。
【図２】最良の形態の平面図である。
【図３】最良の形態を装着した平面図である。
【符号の説明】
【００１８】  １    中心部
２    辺縁部
３    切れ目
４    茎
【図１】
2008183003.tif 000003
【図２】
2008183003.tif 000004
【図３】
2008183003.tif 000005
(57)【要約】【課題】  温室用手動開閉式天窓にて決め細やかな室温管理をするには多大な労力を要する上、自動天窓を新設するには莫大なコストがかかることを解決する。【解決手段】温室用手動開閉式天窓を電動式自動化するアタッチメントを提供する。【選択図】図１
2008183008.tif 000002
【特許請求の範囲】
【請求項１】
温室用天窓（ワイヤーロープ牽引型手動開閉タイプ）を電動式自動開閉化するアタッチメントを提供する。
【発明の詳細な説明】
【技術分野】
【０００１】  本発明は、天窓の開閉に関するものであり、ワイヤーロープを手動にて牽引して開閉操作していた既設天窓〔図２〕を電動式にするものである。
【背景技術】
【０００２】  従来の温室用自動天窓は設置時にそれ専用の天窓枠群と減速付電動機を回転軸で連結する構造であり、高いコストを要した。【０００３】  手動式の天窓は天窓枠のリンクアームをワイヤーロープにて牽引することにより天窓蓋が上昇する簡素な構造で低コストだが、厳寒時に温室内気温をコントロールには頻繁に開閉操作をする必要があり、人力では管理に限界が生じる。【０００４】  手動式天窓群を設置済みの温室を自動天窓化するためには、既設の天窓ユニットをすべて撤去し、自動天窓セットを新設しなければならない。
【発明の開示】
【発明が解決しようとする課題】
【０００５】  手動式の天窓を撤去することなく、安価にて電動自動化することを課題とする。
【課題を解決するための手段】
【０００６】  従来の自動天窓の開閉操作は原動機の回転運動を天窓枠に伝えてラックアンドピニオン機構等の複雑な構造により天窓蓋のステーの往復運動に変換していたが、〔図１〕２のリニアヘッドを使用することにより、原動機側から往復運動を得ることができる。【０００７】  この運動を既設手動天窓のワイヤーロープ〔図１〕６に連結することにより自動化が可能になるのである。
【発明の効果】
【０００８】  本発明により、任意の電気的制御装置を接続して温室内の温湿度管理・降雨閉窓・強風閉窓などの複合的管理が可能になるのである。
【実施例】
【０００９】  安価で安全に作動するように本発明を実施したものを〔図１〕に示す。【００１０】  天窓全閉時が〔図１〕の状態であり、→方向へロッドを移動させることにより〔図２〕のように天窓が開く。【００１１】  本装置は〔図１〕４のジョイントを介して温室天井パイプに接続するフレーム〔図１〕１、ワイヤーロープのたわみを取り、方向を矯正するためのブロック滑車〔図１〕５、リミットスイッチ付きのリニアヘッド〔図１〕２、レバーシブルモーター〔図１〕３により構成されている。【００１２】  電力を印加することによりリニアヘッドはワイヤーロープを牽引し、天窓全開時〔図２〕の位置でリミットスイッチが働き停止する。【００１３】  逆方向に電力を印加すると全閉まで移動し停止する。
【産業上の利用可能性】
【００１４】  既に園芸農家では数多くの手動式天窓付き温室を所持しており、本発明を活用することにより、農家の大幅なコスト低減と決め細やかな栽培管理が可能になるのである。【００１５】  本発明は比較的安価にて生産でき、制御方法によりさまざまな拡張性を有しているので、産業上のニーズは大いに期待できるものである。
【図面の簡単な説明】
【００１６】
【図１】  天窓全閉時における本発明設置後の斜視図である。
【図２】  既設天窓が全開時の斜視図である。
【符号の説明】
【００１７】  １  本装置を構成するフレーム
２  リミットスイッチ付きのリニアヘッド
３  レバーシブルモーター
４  パイプハウスへ本装置を固定するためのジョイント
５  ワイヤーロープのたわみをとり、方向を矯正するためのブロック滑車
６  既設天窓から延長されたワイヤーロープ
【図１】
2008183008.tif 000003
【図２】
2008183008.tif 000004
(57)【要約】      （修正有）【課題】利用価値がないとされてきた木竹炭を培養土として活用し、ベランダ園芸及び家庭菜園システムを提供する。さらに上記システムを販売する営業システムを提供する。【解決手段】木竹炭を種々サイズに加工するか粒又は粉末に加工して培養土Ｃとし、上記培養土を利用し園芸用又は家庭菜園用の鉢又は栽培容器に苗木Ｂを育成するベランダ園芸及び家庭菜園システム、および上記システムと栽培技術サービスおよび残物残土回収サービスとをセットにした営業システム。【選択図】図１
2008183007.tif 000002
【特許請求の範囲】
【請求項１】
園芸や菜園の鉢物や栽培容器用に、木炭竹炭を鉢物栽培容器に合ったサイズに加工、または粒や粉末にして培養土を製作しこれを使用したベランダ園芸と家庭菜園のシステム。
【請求項２】
請求項１の、木炭木酢竹炭竹酢を粘土や肥料などを調合して混合し錠剤などにした、害虫除け追い肥と培養土の商品化と営業システム。
【請求項３】
請求項１，２，の培養土に鉢と種苗や草木に関する栽培方法の指導サービスをセットし、インターネットやその他の広告媒体を使用し、配達付き残物残土回収サービス付きの通信及び店頭販売の営業システム。
【発明の詳細な説明】
【技術分野】
【０００１】  本発明は、利用価値のないものとして見放されている、木竹炭と木竹酢に関するものです。炭本来の特質、燃料としてではなく、鉢物栽培の培養土として活用することが、本発明の目的です。
木炭や竹炭には消臭・水質の濾過・殺菌・殺虫・土壌の改良に効果があると言われています。しかし鉢物栽培の培養土としての活用はされていません。そこで、少量の培養土の鉢物栽培に活用して、栽培効果を上げるのが発明のシステムです。
【背景技術】
【０００２】  従来は、鉢物栽培の培養土として、木竹炭と木竹酢を活用した例はありません。それは自然環境が豊でしたから、ベランダ園芸や菜園などの必要がなかったのでしょう。
特に、ベランダ家庭菜園などはありませんでした。小さな鉢でトマトがなり、イチゴが取れスイカが食べられるなど、まったく考えられませんでした。それに錠剤の木竹炭木竹酢の害虫除け剤などもありません。
【発明の開示】
【発明が解決しようとする課題】
【０００３】  第１の課題は、まだ経験したことのない人達に、ベランダ園芸、菜園がどんなに楽しいものかをＰＲして知っていただくことです。
第２の課題は、経験していただくこと。そして、第３の課題は、必ず満足できる栽培ができるようなシステムを確立することです。
【課題を解決するための手段】
【０００４】  第１の課題は、先ず、驚くようなベランダ園芸、ベランダ菜園の、実物見本を作り、それが、自宅のベランダで誰にでもできることを保証します。
第２の課題は、良質の種苗を育て、最適な培養土を製作使用し、さらに栽培するベランダに適した種苗を選び推薦して販売します。【０００５】  第３の課題は、園芸・菜園の鉢物を配達したとき、配達員はベランダ園芸、ベランダ菜園の環境を、ビデオ化し注意点などをメモして個別に「カルテ」を作り、その「カルテ」にもとずいて指導、助言を行い栽培します。
トマトやスイカなどは、熟れてくると鳥に食べられてしまいます。経験のない人には、考えられないことが起こりますので、定期的な助言をして課題を解決します。
【発明を実施するための最良の形態】
【０００６】  発明の実施の形態について、図面により説明します。
図１は、栽培用鉢に竹炭と木竹炭酢錠剤を使用した一例の説明図です。
Ａ．栽培容器・鉢の本体。Ｂ．苗木。Ｃ．培養土。
Ｄ．竹炭。で、培養土のなかに差し込んだ一例です。差し込む位置は、栽培種苗に          より適所に適した数を行います。
Ｅ．害虫除けと置き肥用の錠剤。で、木炭木酢竹炭竹酢、肥料や粘土などを調合し          混合した錠剤で、用土の上に蒔いて置けば良いので便利です。また錠剤が溶け          て無くなるまで効果があるのでながもちします。
図２は、竹炭を栽培用鉢の培養土の表面に使用した一例の説明図です。
ａ．栽培容器・鉢の本体。ｂ．苗木。ｃ．培養土。ｄ．竹炭。で、培養土の表面に乗      せて使用しています。表面に使用することにより、雨水や肥料などの散水の時の、      鉢の中の培養土の跳ね上がりが防止できます。
また、鉢の底部や培養土の中間など、種苗に合わせて効果的に活用できます。
なお、錠剤や粉末混合の木竹炭培養土は、自然土と同様の方法で使用できます。      本発明のシステムは、放置物を活用でき自然肥料により菜園ができるので、自然環      境の改善にも効果を上げることができます。
【発明の効果】
【０００７】  本発明は上述の通りです。
【０００８】  本発明のシステムは、「炭は燃料」の概念を一新して、炭を「植物栽培用土」に活用活用することの効果には計り知れないほど大きいものがあります。
第一に、放置されている木材竹材を、炭にすることの効果で植物の栽培に活用することは、自然環境の改善効果を上げることができます。
第二に、活用の目的が植物の栽培の「培養土」であり、培養土改良材とし使用することなので、炭の原料は植物、培養物も植物です。つまり「自然植物の回生」に他ならず、自然を愛する心の形成にも効果がある。
また、その実験が自宅のベランダで立派に証明できる、このシステムの効果はさらに大きい。自然環境の保護・自然植物の回生のシステム効果が本発明の効果です。．。
【図面の簡単な説明】
【０００９】
【図１】は、栽培用鉢に竹炭と木竹炭酢錠剤を使用した一例の説明図です。
【図２】は，竹炭を栽培用鉢の培養土の表面に使用した一例の説明図です。
【符号の説明】
［図１］は、Ａ．Ｂ．Ｃ．Ｄ．Ｅ．符号。
［図２］は、ａ．ｂ．ｃ．ｄ．符号を使用しています。
【図１】
2008183007.tif 000003
【図２】
2008183007.tif 000004
(57)【要約】【課題】  煙草を灰皿で消す場合、急いでいる時には不完全な消火となり易く、くすぶると気分が悪くなるような刺激的な煙を放つほか、吸い殻自体が発する臭いにも鼻につく不快なものがあり、居室などでは悪臭が衣類や壁に移ったり、また灰が飛散すると周囲を汚すことから、灰皿と消火用の水容器を設けた吸い殻収納器を提供する。【解決手段】  水容器３を装着した上蓋２を収納器１に嵌め込む構成とし、吸い終わった煙草の火のついた先端部分を消火口４に少し差し入れることによって、残り火を瞬間的に、且つ完全に消火できるようにし、さらに消火した吸い殻を小穴５に投入することにより、吸い殻収納器内に閉じ込める構成とした。【選択図】図１
2008183005.tif 000002
【特許請求の範囲】
【請求項１】
灰皿と消化用の水容器を設けた吸い殻収納器
【発明の詳細な説明】
【技術分野】
【０００１】  本発明は、喫煙中は灰皿として使用し、吸い終われば先端の火を水容器の消火口に差し入れて瞬時に消火し、その手で上蓋の小穴に投入することで、吸い殻を安全かつ衛生的に収納し、さらに吸い殻の廃棄処理を簡単にした吸い殻収納器に関するものである。
【背景技術】
【０００２】  従来、灰皿そのものに水容器を設けるものや、水容器を脱着する構成としたものがあるが、前者の場合、吸い殻から発せられる嫌な悪臭と周囲を汚す灰の飛散が止められないという問題があり、また後者の場合は水容器の構造が複雑で、そのために製造コストが高くなるという欠点がある。【０００３】
【特許文献１】  特開２００１−３２１１５１  特開２００１−１６１３３７  特開２００１−０５７８７８
【発明の開示】
【発明が解消しようとする課題】
【０００４】  通常の灰皿では、煙草の火を消す際には十分な注意を要し、もし消火が不十分であると残り火がくすぶって火事になる恐れがあるほか、くすぶった煙が立ち込めて不快な気分になる。また、灰皿の吸い殻からは微量の悪臭が延々と発散するため、閉め切った部屋の中では悪臭が立ち込めたり、何かの拍子に灰が飛散して周囲を汚すなど、愛煙家にとっては頭痛の種であった。本発明は、この課題を解消するためになされたものである。
【課題を解決するための手段】
【０００５】  水容器３の消火口４に、吸い終わった煙草の火のついた先端部分を少し差し入れることにより、残り火を瞬間的に、且つ完全に消火できるようにした。
【０００６】  水容器３を装着した上蓋２を収納器１に嵌め込む構成とし、消火した吸い殻を小穴５に投入することにより、吸い殻収納器内に閉じ込めるようにした。
【０００７】  水容器３の深さを浅くし、誤って煙草を落とし込んでも摘み出せるようにした。
【発明の効果】
【０００８】  この吸い殻収納器には、次のような優れた作用がある。
（イ）水による消火は手早く且つ確実に行えるので、手間が掛からずに消火でき、さらに    極めて安全である。
（ロ）収納器１と上蓋２で形成される空間に灰と吸い殻を閉じ込めるため、吸い殻からの    空気中への悪臭の拡散も灰の飛散も同時に抑制することができ、部屋の中が煙草臭く    なったり、灰で周囲が汚れたりする不具合を大幅に改善することができる。
（ハ）消火によって減少する水の補給は、上蓋の上部に付着したホコリや灰などの汚れを    洗い流す際に消火口４から行えばよく、そのための特別な手間を必要としない。
（ニ）水容器３の内部に落ち込む灰の量は僅かであり、たとえ灰が水容器３内に溜まった    ところで直ちに洗い出す必要もないので、取り扱いが極めて容易である。
（ホ）誤って水容器３内に吸い殻を落とし込んでも、底が浅いので摘んで取り出せる。
（ヘ）主な構成部品が収納器１、上蓋２、水容器３、灰皿部分の仮置き具６、ゴム栓７の    合計５点にしか過ぎないため、製造原価が極めて安価なものになる。
（ト）収納器１と上蓋２のサイズを大きくすれば、より多量の吸い殻を収納できるように    なるので、吸い殻を廃棄する回数が減り、処理の手間が少なくて済む。
【０００９】  以上のことから、とりわけ機密性の高い室内での使用に最適であり、居室などでの安全かつ快適な喫煙ライフを、安価に提供することができる。
【発明を実施するための最良の形態】
【００１０】  以下、本発明の実施の形態について説明する。
（イ）家庭用としては、概ね、収納器１の高さを８ｃｍ、上蓋２の高さを２ｃｍ、そして    直径を１０ｃｍ程度とすれば、取り扱い易さと専有するスペース、収納できる吸い殻    の本数の点で適当ではあるが、特にヘビースモーカー対策として、収納器１の高さを    １０ｃｍ程度とし、そして直径を２０ｃｍまで大きくして、さらに水容器３の直径を    １０ｃｍとすることにより、廃棄する回数が大幅に減って手間が軽減できる。
（ロ）水容器３に吸い殻が落ち込まないようにするため、吸い殻の最小長さが４．５ｃｍ    程度であるので、その有効深さを２ｃｍ以内とする。この寸法は、概ね上蓋２の高さ    と同じになることから、上蓋２を手に持って洗ったりする際にバランスが良い。
（ハ）水容器３の直径は、収納器１の直径が１０ｃｍの場合には６ｃｍ程度とする。そう    すると、水容器３には概ね５０ｃｃの量の水が溜められるので、吸い殻が収納器１内    に満タンになる前に、消火のための水が切れてしまうようなことはない。
（ニ）消火口４及び小穴５の直径は、水の蒸発と悪臭の漏れ出しの点で１０ｍｍ程度とす    るのが好ましい。もし小さ過ぎる場合は漏斗構造とし、受け口を大きくする。
（ホ）小穴５の数が一つの場合は、吸い殻が同じ箇所に集中して落ちることになるので、    当該吸い殻収納器を揺すって分散させれば良いが、漏れ出す悪臭が気にならないよう    なら、小穴５を複数個、上蓋２の上面に設ける。
（ヘ）仮置き具６は、喫煙中の煙草を一時的に置いたり、先端の灰を落とす際に用いるも    ので、鋸歯状に型抜きした金具を小穴５に嵌め込んで固定する構成にしたり、または    上蓋２の上面に直接張りつける。
（ト）ゴム栓７は、当該吸い殻収納器を使用しない時に小穴５に差し込んで、小穴５から    悪臭が漏れ出すのを阻止するために使用するほか、誤って火のついた煙草を小穴５に    投入した場合に、小穴５を塞いで消火する目的のためにも使用する。
（チ）安全のために、収納器１と上蓋２、そして仮置き具６を構成する部材には不燃性の    材質のものを使用する。
（リ）当該吸い殻収納器の外観は円柱形に限るものでなく、収納器１に上蓋２を嵌め込ん    だ場合に、その噛み合い部分から悪臭や灰が漏れ出さなければ多角柱形でもよい。
（ヌ）収納器１に溜まった吸い殻は、上蓋２を外し、ごみ箱に向けて捨てる。
【図面の簡単な説明】
【００１１】
【図１】      本発明の平面図である。
【図２】      本発明の立面図である。
【図３】      本発明の使用状態を示した、図１のＡ−Ａ’断面視図である。
【符号の説明】
【００１２】１    収納器
２    上蓋
３    水容器
４    消火口
５    小穴
６    仮置き具
７    ゴム栓
【図１】
2008183005.tif 000003
【図２】
2008183005.tif 000004
【図３】
2008183005.tif 000005
(57)【要約】【課題】パン粉等の大粒のゴミと埃や毛髪等の微細なチリやホコリをシート面に効果的に捕集できる床清掃用シートを提供する。【解決手段】開孔不織布で粘着剤層を挟んだ３層構造のシートであって、開孔１個の大きさは３ｍｍ２／個以上、９ｍｍ２／個以下であり、かつ開孔不織布の粘着層を露出する開孔面積の合計は、清掃シート使用時に床と接触する面積の１５〜５０％とし、更に２ｇ／ｃｍ２加圧時の開口不織布の厚みが０．３ｍｍ以上１．０ｍｍ未満としたことを特徴とする床清掃用シート。【選択図】  図１
2008183035.tif 000002
【特許請求の範囲】
【請求項１】
開孔不織布で粘着剤層を挟んだ３層構造のシートであって、開孔１個の大きさは３ｍｍ２／個以上、９ｍｍ２／個以下であり、かつ開孔不織布の粘着層を露出する開孔面積の合計は、清掃シート使用時に床と接触する面積の１５〜５０％とし、更に２ｇ／ｃｍ２加圧時の開口不織布の厚みが０．３ｍｍ以上１．０ｍｍ未満としたことを特徴とする床清掃用シート。
【請求項２】
開孔部分に露出した粘着部が大粒のゴミを捕集し、ベースの不織布が微細なチリやホコリを捕集する請求項１記載の床清掃用シート。
【請求項３】
シート両面がそれぞれ床清掃用に供し得る請求項１または２記載の床清掃用シート。
【請求項４】
開孔不織布の開孔が開孔不織布の前後左右方向に等間隔に密配列されている請求項１から請求項３までのいずれか１項記載の床清掃シート。
【発明の詳細な説明】
【技術分野】
【０００１】
本発明は捕集能力を改良した床清掃用シートを提供する。
【背景技術】
【０００２】
清掃用シートは紙、スパンレース不織布、スパンボンド不織布、メルトブローン不織布、パルプエアレイド不織布やこれらを複合化したシートを使用したものが一般的である。
【０００３】
これらのシートはチリ・埃等の微粉体や油汚れ・水分等の液体を効果的に拭取ることは可能だが、砂粒、毛髪、食品屑と言った比較的大粒なものの清掃には適していない。
【０００４】
特に清掃用シートを床清掃に用いる場合はこれらの大粒径物質の捕集能力が重要となる。
床清掃に適用する清掃シートとしては、長繊維集合体（開繊トウ）をシート表面に接着したものや、スパンレース中に合成樹脂性のネットを挿入し凹凸を付与することで清拭性能を高めたものも有るが、パン粉等の食品屑・砂粒と言った大きめの塵の捕集能力が低く、一旦捕捉した毛髪がシートから簡単に脱落してしまう問題も有った。                                      
捕集し切れなかった大きめの塵や毛髪はシートで押し遣って１箇所に集め、最終的には他の手段により（掃除機で吸引除去、・ティシュペーパー等を使って手で除去・等）廃棄することとなる。
【０００５】
シートに粘着部分を形成する（粘着シートに開孔シートを積層）ことでこれらの問題を解決する方法が記載されているが、粘着部分が大きく強力すぎる為、シートを積層した製品形態としたときにシート同士が接着してしまう問題点があった。また、粘着部分が大きすぎると被清拭面に接触する可能性が高くなり、スムーズな清掃が行いにくい。
【０００６】
【特許文献１】特開平９−２２０１９１号公報
【発明の開示】
【発明が解決しようとする課題】
【０００７】
パン粉等の大粒のゴミと埃や毛髪等の微細なチリやホコリをシート面に効果的に捕集できる床清掃用シートを提供する。
【課題を解決するための手段】
【０００８】
本発明は開孔不織布で粘着剤層を挟んだ３層構造のシート構造を有し、開孔部分に露出した粘着部が大粒のゴミを捕集し、ベースの不織布が微細なチリやホコリを捕集するようにしたことを特徴とする。
【０００９】
開孔不織布における開孔の大きさは、開孔１個の大きさが３ｍｍ２／個以上、９ｍｍ２／個以下とする。３ｍｍ２/個未満ではパン粉等の大粒な物を捕集できない。また１０ｍｍ２／個以上ではシート同士の接着トラブルが問題となる。
【００１０】
開孔の開孔面積は、粘着層を露出する開孔面積の合計が、清掃シート使用時に床と接触する面積の１５〜５０％とする。１５％未満では大粒の塵の捕集能力が低くなる。５０％以上では不織布繊維部分が小さくなりすぎ、微細なホコリの捕集能力が低くなる。
【００１１】
また開孔不織布の厚みは、２ｇ／ｃｍ２加圧時の厚みが０．３ｍｍ以上１．０ｍｍ未満とする。加圧時の厚みが小さいと清拭作業時に粘着面と床面の距離が小さくなりすぎ、粘着面が微細なホコリにより粘着力を低下し易くなる。厚みが大きすぎると粘着面がゴミと接触する機会が減少し、大粒の塵に対する清掃効果が低下する。
（注）２ｇ／ｃｍ２：通常フローリング等の清掃は、清拭シートを取付けるヘッドを持った柄付き冶具で行うが、この時シートにかかる圧力は大部分が冶具のヘッド重量となり、ヘッド面積が２００ｃｍ２、重量が約４００ｇとして計算した。
【発明を実施するための最良の形態】
【００１２】
図１及び図２は本発明の清拭シート（１）の平面図及び断面図を示し、（２）はシート両面の開孔不織布、（３）は両面の開孔不織布間に粘着して挟まれた粘着層である。
表１に開孔不織布（２）の開孔の大きさや厚み、粘着面積を変えて清拭シート（１）を作成し、埃等の捕集性能と製品形態（２０枚／パック）でのシート同士の接着状態を評価した。結果を表１に示した。
【００１３】
【表１】
2008183035.tif 000003
【実施例１】
【００１４】
坪量６０ｇ／ｍ２、開孔面積３ｍｍ２／個、厚み０．６ｍｍ、の開孔不織布で粘着剤層を挟み込み、粘着面積３０％の清拭シートを得た。このシートで埃等の捕集テストやシート同士の接着性を評価した。
【実施例２】
【００１５】
開孔不織布の開孔面積を６ｍｍ２／個、厚み０．４５mmとし、その他は実施例１と同条件の清拭シートを得た。
【実施例３】
【００１６】
坪量５０ｇ／ｍ２、開孔面積９ｍｍ２／個、厚み０．８ｍｍの開孔不織布で粘着剤層を挟み込み、粘着面積５０％の清拭シートを作り、実施例１と同様の評価を行った。
【実施例４】
【００１７】
坪量５０ｇ／ｍ２、開孔面積６ｍｍ２／個、厚み０．３ｍｍの開孔不織布で粘着剤層を挟み込み、粘着面積４０％の清拭シートを作り、実施例１と同様の評価を行った。
【００１８】
＜比較例１、２＞
比較例１は実施例４の開孔面積を１ｍｍ２／個に代え、比較例２は実施例２の開孔面積を１２ｍｍ２／個に代えて、他の条件はそれぞれ実施例４と２と同条件でシートを作成し、実施例１と同様の評価を行った。
＜比較例３，４＞
比較例３は実施例３、比較例４は実施例１の粘着面積のみを変更して、シートを作成し、評価した。
＜比較例５，６＞
比較例５は実施例２、比較例６は実施例３の厚みのみを変更して、シートを作成し、評価した。
【図面の簡単な説明】
【００１９】
【図１】清拭シートの平面図
【図２】清拭シートの断面図
【符号の説明】
【００２０】
１……清拭シート
２……開孔不織布
３……粘着層
【図１】
2008183035.tif 000004
【図２】
2008183035.tif 000005
(57)【要約】【課題】  調理鍋に食材を収容し、調理する際に食材へ熱が効率よく伝達加熱され、また食材の炒め物などの場合は加熱がすばやく、空気の混入が促進され、簡単に調理が、かつ効果的に行える熱伝導促進振動機能付調理器具を提供すること。【解決手段】食材を収容、効率的に加熱、空気の混入の促進をせしめるため、調理鍋の把手部に振動数可変振動機能付装置を内蔵し、当該調理鍋に対して振動の伝導が可能となるように取り付けられた把手と鍋本体からとなる【選択図】図１
2008183390.tif 000002
【特許請求の範囲】
【請求項１】
料理時、調理鍋にて、煮炊き、炒める時、食材に熱が効率よく伝わるように鍋の把手部に振動機能を備え、振動を鍋部に伝導し、調理食材に熱が満遍なくかつ効率よくいきわたり、素早く、むらなく美味しく調理が出来ることを可能とした熱伝導促進振動機能付調理器具。
【請求項２】
鍋の把手内部に振動発生装置を収納、振動発生装置は振動数固定式のものと、食材の特徴や調理方法に応じて振動数の調整を可能とした物をどちらでも良く、目的などに応じて利用することが出来、電池式又は家庭用電気を使用する電気式で構成された機能を備えた請求項１に記載の熱伝導促進振動機能付調理器具。
【請求項３】
前記調理鍋把手部又は延長された付随部位に振動機能を係止、作動せしめるスイッチなどの装置を有する請求項１、２に記載の熱伝導促進振動機能付調理器具。
【請求項４】
振動機能を備えた把手部は固定式でも脱着が可能式のどちらでも良いが、脱着可能式の場合は、把手が固定されていない調理鍋等の大小複数のセットにした場合、どの鍋にも着装可能で、また他の鍋での煮炊、炒め時の食材に熱を効率よく伝導せしめることを特徴とした請求項１，２，３に記載の熱伝導促進振動機能付調理器具。
【発明の詳細な説明】
【技術分野】
【０００１】本発明は、調理鍋に関し、特に振動機能を備えた把手付調理鍋に関する。
【背景技術】
【０００２】把手の形状、鍋の形状は多種多様に存在するが、振動機能装置装備ではない。【０００３】このような調理鍋で煮る、炒める、炊く、冷やす、拡販する等の調理中に調理食材をむらなく加熱、冷ます等するには、頻繁にかき混ぜるなどの行為が必要である。調理に熟達した専門家にあってはその術を心得、いとも簡単に取り扱いつつ上手に加熱調理を行うことができる。【０００４】しかしながら、調理に熟達していない場合は、鍋の底の部位より加熱が進み、焦げたり、一部半煮えになることがまま起こることがあり、炒め物にいたっては、ただかき混ぜる事が多く、結果として手間がかかり調理がうまく進まないことがあり、いたっては調理が苦手となることさえあった。
【発明の開示】
【発明が解決しようとする問題】
【０００５】本発明は、上記のような欠点を補うため、簡単に煮、炊き、炒める食材に熱が伝わりやすく、また空気が混ざりやすくし、調理が上手に簡単に行える調理鍋を提供することを課題とする。
【課題を解決するための手段】
【０００６】調理鍋把手部に振動数可変振動機能を備えた装置を内部に装備し、調理時に食材に応じて適時振動させ鍋に伝導せしめることで、鍋自体が振動し、たれ、食材に伝導し熱伝導の効率が高められ、早く均等に味付けし煮炊きを促進させることを可能としたことで解決される。
【０００７】また、炒め物の場合は、中華なべやフライパンの把手に振動装置が装備されており、振動を鍋に伝えることで、食材が振動し空気の食材への混入が容易になされ、しかも熱伝導が効率よく、難しかった炒め物の調理が簡単に行えるようになる。
【発明の効果】
【０００８】本発明による熱伝導促進振動機能付調理器具によれば、把手より発生した振動は、鍋から食材へ伝達され、調理途中で食材全体へ均等に熱伝導、および空気の混入が効率よくいきわたり、煮炊き、炒めの調理が効果的に行えるよう、これを可能とした。
補足として、煮汁に浸っている食材においては味が早くよくしみ込み、煮崩れしにくく、煮汁のない炒め物などにおいては、食材間に空気層ができ、仕上がりにべとべと感が少なくいわゆる、美味しく調理が出来ることを可能とした。
【０００９】食材を大きいものと小さいものを同時に鍋に入れると通常は、小さいものが下に、大きいものが上になる傾向があるが、当該熱伝導促進振動機能付調理器具で振動をかけて調理すると、いわゆる地震時などに発生する液状化現象のような状態が発生し、大きい物が下にと逆転現象が生じ、振動の状態によって、大小の食材が交互に混ざりやすくなる。
【００１０】当該熱伝導促進振動機能付調理器具は、ＩＨクッキングヒターやガスコンロなどにも対応が可能である。
【発明を実施するための最良の形態】
【００１１】以下、本発明にかかる熱伝導促進振動機能付調理器具の好適な実施の形態を添付する図を参照しながら詳述する。図１は固定式の振動装置付把手が取付られた状態を示す。調理鍋１の壁面に把手取付部２により把手本体３が取り付けられている。把手本体３の中には振動発生装置５が納められ振動伝達機構部４により振動発生装置５で発生した振動を調理鍋１の壁面に効率よく伝達し調理鍋１全体が振動する。調理鍋１の壁面よりの熱伝達による把手本体３の内部の温度上昇を抑える為に遮熱部４を設けることで振動発生装置５、駆動電池と制御装置部６の温度上昇に依る不具合発生を防止する。調理鍋１の調理素材種類により振動を変える事でより良い調理が行える、振動数の変化と装置の起動停止させる為に振動装置制御スイッチ７を設ける。調理開始後振動装置制御スイッチ７で起動し調理状況により振動数を増減させるより良い調理を完成させる。振動装置５は把手内の駆動電池６または外部電源取込端子８よりの外部電源による２電源方式で作動し振動を発生させる。【００１２】図２は調理鍋１に着脱式把手の概要を示す。把手本体３を調理鍋１に取付ける際は把手着脱ボタン９を操作し把手本体３を調理鍋１の壁面に取付け固定する。調理鍋１より把手本体３を外す場合は把手着脱ボタン９を操作する事で把手着脱用可変部１０が鍋壁面より離れ把手を取外すことが出来る。
【図面の簡単な説明】
【００１３】
【図１】固定式の振動装置付把手の調理鍋概要図である。
【図２】脱着式振動装置付把手の概略図である。
【符号の説明】
【００１４】  １  調理鍋
２  把手取付部
３  把手本体
４  振動伝達機構部と遮熱部
５  振動発生装置
６  駆動電池と制御装置部
７  振動装置制御スイッチ
８  外部電源取込端子
９  把手着脱ボタン
１０  把手着脱用可変部
【図１】
2008183390.tif 000003
【図２】
2008183390.tif 000004
(57)【要約】      （修正有）【課題】鴨居等の僅かな出っぱりがあれば、どこにでも、バランス良くハンガーに通した衣服を掛けることが出来る鴨居フックを提供する。【解決手段】ハンガーのフック２の上部に回転する平面板６を設け、小平板よりなる鴨居フック１を設け、鴨居フック１と平面板６はピンでジョイントされており、鴨居フック１は回転することができる。鴨居フック１の鴨居との接触面には滑り止めを設ける。使用する時は、鴨居フック１をフック２に対して９０度の位置に回転して、鴨居等の出っぱりに掛ける。逆に使用しない時は１８０度の位置に収納する。【選択図】図１
2008183385.tif 000002
【特許請求の範囲】
【請求項１】
ハンガーのフックの上部に回転する平板を設けたことを特徴とする鴨居フック。
【発明の詳細な説明】
【技術分野】
【０００１】  本発明は、鴨居等の僅かな出っぱりに、衣服に通したハンガーををバランス良く掛けることができる鴨居フックに関するものである。
【技術背景】
【０００２】従来、ハンガーのフックを鴨居等の出っぱりに掛ける時は、フックの鍵形の先端を引っ掛けていた。
なお、Ｃクランプと同じ機能を持つ、ハンガーを掛けやすくする器具の発明が知られている。
【発明の開示】
【発明が解決しようとする課題】
【０００３】  そのために、次のような問題があった。
（イ）フックの鍵形の先端を引っ掛けるとバランスは非常に悪く、場合によっては引っ掛からないことがあった。
（ロ）Ｃクランプと同じ機能を持つハンガーを掛けやすくする器具は、その器具が取り付けてある場所にしかハンガーを掛けることができなかった。
本発明は以上の問題点を解決しょうとするものである。
【課題を解決するための手段】
【０００４】    ハンガーのフックの上部に回転する平板を設けたことを特徴とする鴨居フック。
【発明の効果】
【０００５】  本発明は、衣服に通したハンガーを鴨居等の僅かな出っぱりにバランス良く掛けることができる。
また、僅かな出っぱりがあればどこにでもハンガーを掛けることができる。
【発明を実施するための最良の形態】
【０００６】  以下、本発明の実施の形態を説明する。
（イ）ハンガー本体（３）の上部に設置されているフック（２）の最頂部に平面板（６）を設け、小平板よりなる鴨居フック（１）を設ける。
（ロ）鴨居フック（１）と平面板（６）はピン（７）でジョイントされており、鴨居フック（１）は回転することができる。
ピンは直径３ｍｍくらいの物を用いれば、かなりの重量の衣服の重量にも容易に耐えることができる。
（ハ）鴨居フック（１）の鴨居（５）との接触面には滑り止め（４）を設ける。
本発明は、以上の構成よりなっている。
本発明を使用する時は、鴨居フック（１）をフック（２）に対して９０度の位置に回転して、鴨居等の出っぱりに掛ける。逆に使用しない時は１８０度の位置に収納する。
鴨居フック（１）を使用しているとき、フック（２）は鴨居に密着しハンガーのバランスを安定させ、滑り止め（４）は鴨居から滑り落ちないように機能する。
また、大抵の場合フック（２）の長さが鴨居の長さをを超えるので、その下に吊るされることになる衣服は、壁との間に隙間を保つことができる。その結果、衣服に不要な負担がかからず、皺が寄ったりしない。
【図面の簡単な説明】
【０００７】
【図１】本発明の斜視図
【図２】本発明の分解斜視図
【図３】本発明の斜視図
【図４】本発明の使用状態を示す斜視図
【図５】本発明の裏面を示す斜視図
【符号の説明】
【０００８】      １  鴨居フック
２  フック
３  ハンガー本体
４  滑り止め
５  鴨居
６  平面板
７  ピン
【図１】
2008183385.tif 000003
【図２】
2008183385.tif 000004
【図３】
2008183385.tif 000005
【図４】
2008183385.tif 000006
【図５】
2008183385.tif 000007
(57)【要約】【課題】片方の肩受け部を、引き上げ、あるいは引き下げすることによって、少ない力で衣服の襟首を延ばすこと無く挿入及び取り外しのできる、片肩受け部引き上げ型ハンガーを提供する。【解決手段】片方の肩受け部が襟受け部の中を通ってスライドし、肩受け部の先端が襟受け部に接近することによって、衣服の襟首を延ばすこと無く衣服の中にハンガーを挿入することができることを特徴とする片肩受け部引き上げ型ハンガー。【選択図】図１
2008183386.tif 000002
【特許請求の範囲】
【請求項１】
片方の肩受け部が襟受け部の中を通ってスライドし、肩受け部の先端が襟受け部に接近することによって、衣服の襟首を延ばすこと無く衣服の中にハンガーを挿入することができることを特徴とする片肩受け部引き上げ型ハンガー。
【発明の詳細な説明】
【技術分野】
【０００１】  本発明は、片方の肩受け部を襟受け部の中を通して引き上げ、衣服の襟首から衣服の襟首を延ばすこと無くハンガーを挿入することができる、片肩受け部引き上げ型ハンガーに関するものである。
【技術背景】
【０００２】  従来、襟首の直径が小さい洗濯物にハンガーを挿入及び取り出しする時は、無理矢理襟首を延ばして行っていた。
なお、この問題を解決するための、ハサミと同じ構造の折り畳み式ハンガー、或いは片方の肩受け部を折り畳むタイプのハンガー、フック部を移動させるタイプのハンガーなどの発明が知られている。
【発明の開示】
【発明が解決しようとする課題】
【０００３】  そのために、次のような問題があった。
（イ）衣服の襟首が延びてしまい、元に戻らなくなった。
（ロ）ハサミと同じ構造の折り畳み式ハンガーや片方の肩受け部を折り畳むタイプのハンガーは、衣服の襟首を延ばすこと無くハンガーを挿入できるが、濡れた衣服の中で折りたたまれたハンガーを開くにはかなりの力が必要で、女性には厳しい作業となった。
また、フック部を移動するタイプのハンガーでは、フック部を移動しながら両袖をハンガーに通すので作業の迅速性を欠いた。
本発明は以上の問題点を解決しようとするものである。
【課題を解決するための手段】
【０００４】  片方の肩受け部が襟受け部の中を通ってスライドし、肩受け部の先端が襟受け部に接近することによって、衣服の襟首を延ばすこと無く衣服の中にハンガーを挿入することができる。
以上を特徴とする片肩受け部引き上げ型ハンガーである。
【発明の効果】
【０００５】  本発明は、衣服の襟首を延ばすこと無くハンガーを衣服に挿入及び取り外しできる。
また、洗濯したての濡れた衣服の中に少ない力で挿入することができる。勿論、乾いた後、洗濯物を取り込む際にも、少ない力でハンガーを取り外すことができる。
【発明を実施するための最良の形態】
【０００６】以下、本発明の実施の形態を説明する。
（イ）襟受け部（１）に可動肩受け部（２）が貫通する空洞を設ける。
（ロ）可動肩受け部（２）を襟受け部（１）の空洞に通し、上側にボタン（５）を、下側にストッパー（４）を設ける。
（ハ）可動肩受け部（２）の先端には上側に飛び出したボタン（５）とのバランスをとるためのおもり（６）を設ける。
（ロ）襟受け部（１）のもう一方には固定肩受け部（３）を設け、上部にはフック（７）を設ける。
本発明は、以上の構成よりなっている。
本発明を使用する時は、ボタン（５）を引いて可動肩受け部（２）を引き上げる。
この時、可動肩受け部（２）の先端は襟受け部（１）の横にある。
まず、洗濯物の襟首から固定肩受け部（３）を片方の袖に通す。
可動肩受け部（２）の先端は既に襟の中に入る状態にあるので、ボタン（５）を押して可動肩受け部（２）を元の位置まで戻す。
このようにして、ハンガーを衣服に襟首から、襟首を延ばすこと無く、少ない力で挿入することが可能となる。
なお、洗濯物の取り込みの際は、この動きの逆を行うことによって、同じく、ハンガーを衣服の襟首から、襟首を延ばすこと無く、少ない力で取り外すことが可能となる。
【図面の簡単な説明】
【０００７】
【図１】本発明の斜視図
【図２】本発明の分解斜視図
【図３】本発明の使用状態を示す斜視図
【図４】本発明の使用状態を示す斜視図
【図５】襟受け部を切り欠いた状態を示す斜視図
【符号の説明】
【０００８】  １  襟受け部
２  可動肩受け部
３  固定肩受け部
４  ストッパー
５  ボタン
６  おもり
７  フック
【図１】
2008183386.tif 000003
【図２】
2008183386.tif 000004
【図３】
2008183386.tif 000005
【図４】
2008183386.tif 000006
【図５】
2008183386.tif 000007
(57)【要約】【課題】農作業で鍬での掘起しは作業姿勢が低く腰をかがめ背中を丸めての作業であるため、足、膝及び腰への負担が大きく疲れや痛みを生じる。【解決手段】農作業の鍬での掘起し作業姿勢に対応するため柔軟性のある耐圧ホースの外筒１０及び内筒１１で構成した空気圧封入ホースシリンダ１ａ、１ｂを使用する。空気圧封入ホースシリンダを襷掛２、腰部に固定具３及び足首部に作業靴固定具４ａ、４ｂにより人体に固定する。空気圧封入ホースシリンダの空気圧力が常に人体を持上げる方向に働くため、足、膝及び腰への負担が少なくなり疲れや痛みをやわらげる。【選択図】図１
2008183389.tif 000002
【特許請求の範囲】
【請求項１】
内筒及び外筒を柔軟性のある耐圧ホースで構成した空気圧封入ホースシリンダを人体に固定するため、襷掛及び固定具等を取付けた農作業用ホースシリンダ式補助具。
【発明の詳細な説明】
【技術分野】
【０００１】本発明は農作業の鍬での掘起し時の姿勢が低く腰をかがめ背中を丸めての作業のため、足、膝及び腰への負担が大きく疲れや痛みを生じるため柔軟性のある耐圧ホースシリンダで常に人体を持上げ足、膝及び腰への負担をやわらげる農作業用ホースシリンダ式補助具に関するものである。
【背景技術】
【０００２】農作業で鍬での掘起しは姿勢が低く腰をかがめ背中を丸めての作業である。掘起しの反動もあり足、膝及び腰への負担が大きいため疲れや痛みを生じきつい作業となっている。【０００３】
【特許文献１】特開２００２−０１７７９５号公報、
【発明の開示】
【発明が解決しようとする課題】
【０００４】農作業で鍬での掘起しは作業姿勢が低く腰をかがめ背中を丸めての作業であるため、足、膝及び腰への負担が大きく疲れや痛みを生じる。
【課題を解決するための手段】
【０００５】農作業の鍬での掘起しの作業姿勢に対応するため外筒１０及び内筒１１を柔軟性のある耐圧ホースで構成した空気圧封入ホースシリンダ１ａ、ｂとする。空気圧封入ホースシリンダを人体に固定するため肩部に襷掛２、腰部に固定具３及び足首部に作業靴保持具４ａ、ｂを取付ける。空気圧封入ホースシリンダの空気圧力が常に人体を持上げる方向に働くため、足、膝及び腰への負担が少なくなり疲れや痛みをやわらげる。
【発明の効果】
【０００６】農作業の鍬での掘起しの作業姿勢に空気圧封入ホースシリンダ１ａ、ｂは十分対応可能で人体に襷掛２、固定具３及び作業靴保持具４ａ、ｂで固定している。ホースシリンダの空気圧力が常に人体を持上げる方向に働くため、足、膝及び腰への負担が少なくなる。
以下、本発明の実施形態について説明する。
（イ）．作業姿勢に十分対応する空気圧封入ホースシリンダ１ａ、ｂを襷掛２等で人体に固定し、ホースシリンダの空気圧力が作業時常に人体を持上げる方向に働く構造とする。
【実施例１】
【０００７】図１は農作業用ホースシリンダ式補助具を使用しての農作業時の状態及び歩行時の状態を示す。図２は空気圧封入ホースシリンダ本体の断面図及びＡ、Ｂ，Ｃ部各断面詳細図を示す。【０００８】図１において、農作業時の状態は鍬で掘起し時の作業姿勢と空気圧封入ホースシリンダの状態を示し、人体への空気圧封入ホースシリンダ１ａ、１ｂの取付状態を示す。
空気圧封入ホースシリンダ１ａ、１ｂは人体の肩部は襷掛２、腰部は固定具３、下部ボールネジ１５は作業靴保持具４ａ、４ｂに取付けられている。この状態でホースシリンダ空気圧力により人体が常に持上げられるような力を受けている。その分、足、膝及び腰への負担が軽減されている。作業靴保持具４ａ、４ｂに取付けている案内輪５ａ、５ｂは移動時の足への負担を軽減するためのものである。歩行時の状態は歩行姿勢と空気圧封入ホースシリンダ１ａ、１ｂの状態図を示す。この状態でホースシリンダ空気圧力は人体が持上げられる方向に働いている。【０００９】図２において、空気圧封入ホースシリンダ１ａ、１ｂ本体の断面図で、上部及び下部の金具取付状態、内筒と外筒のシール１９取付け及び外筒下部案内金具１４、空気圧封入による内筒と外筒の抜止め防止用抜止めワイヤ１６取付状態を示す。【００１０】図２において、Ａ部詳細はホースシリンダ上部を示す。外筒１０と上部金具１３はカシメ取付けとし、空気圧は空気圧供給金具１８より封入される。空気圧供給金具はチェック弁付で内圧をシールしている。抜止めワイヤ１６取付ボルト１７部はシールパッキン２３ａでシールされている。【００１１】図２において、Ｂ部詳細は内筒１１と外筒１０のシール部を示す。シール１９は内筒１１に取付けられ内筒１１とは抜止めピン２２ａ、２２ｂで固定されている。シール１９と内筒１１のシールにＯリング２１を取付けている。シール１９にはグリース２０を封入し、外筒１０との摺動潤滑性をアップしている。【００１２】図２において、Ｃ部詳細はホースシリンダ下部を示す。内筒１１と下部金具１２はカシメ取付けとし、ホースシリンダの傾斜が自由に出来るようにボールネジ１５を取付けている。ボールネジ１５のねじ込み部は抜止めワイヤ１６が取付けられシールパッキン２３ｂでシールされている。
【図面の簡単な説明】
【００１３】
【図１】本発明実施例の農作業用ホースシリンダ式補助具を使用しての農作業時の状態の正面図及び側面図、歩行時の状態の正面図である。
【図２】本発明実施例の空気圧封入ホースシリンダ本体の断面図及びＡ、Ｂ，Ｃ部各断面詳細図である。
【符号の説明】
【００１４】１ａ  空気圧封入ホースシリンダ  １０    外筒
１ｂ  空気圧封入ホースシリンダ  １１    内筒
２    襷掛                      １２    下部金具
３    固定具                    １３    上部金具
４ａ  作業靴保持具              １４    案内金具
４ｂ  作業靴保持具              １５    ボールネジ
５ａ  案内輪                    １６    抜止めワイヤ
５ｂ  案内輪                    １７    ボルト
１８    空気圧供給金具
１９    シール
２０    グリース
２１    Ｏリング
２２ａ  抜止めピン
２２ｂ  抜止めピン
２３ａ  シールパッキン
２３ｂ  シールパッキン
【図１】
2008183389.tif 000003
【図２】
2008183389.tif 000004